(57)【要約】【課題】ステータコアへのコイルの巻き回しが容易になるとともに、コイルの巻き終わった後のステータの後処理作業も楽になり、全体的な生産向上に寄与するインナーロータ型モータのステータを提供すること。【解決手段】インナーロータ型モータのステータ１であって、放射状に配置されたステータコア１５の内周側は円弧状の連結体１６で連結され、外周側の両端にはそれぞれ張出片１７を形成し、該張出片１７は外方に突出させ、この張出片１７を円弧状に形成するとともに、この張出片１７を内方に曲折した時には隣接するステータコア１５の張出片１７同士が接触する程度の長さに形成し、全体として環状になるように構成した。【選択図】図２
2007037249.tif 000002
【特許請求の範囲】
【請求項１】
以下の要件を備えることを特徴とするインナーロータ型モータのステータ。
（イ）放射状に配置されたステータコアの内周側は円弧状の連結体で連結され、外周側の両端にはそれぞれ張出片を形成し、該張出片は外方に突出していること
（ロ）上記張出片は円弧状に形成され、該張出片は内方に曲折した時には隣接するステータコアの張出片同士が接触する程度の長さに形成され、全体として環状になるように構成されていること
【請求項２】
前記ステータコアを連結する前記連結体には、該連結体を分断可能な肉薄部を設けた、請求項１記載のインナーロータ型モータのステータ。
【発明の詳細な説明】
【技術分野】
【０００１】
本発明は、インナーロータ型モータのステータ、詳しくはコイルをステータコアに巻き回す作業を容易にすることができるインナーロータ型モータのステータに関するものである。
【背景技術】
【０００２】
従来、インナーロータ型のモータでは、環状のステータの内側にロータを配置し、ステータの内側に突出した磁極歯にコイルを巻き回していたが、磁極歯に巻き回すコイルはステータの内側から巻かなければならず、コイルの巻き回し量や巻き回し作業が煩雑になるため、コアを分割し、分割したコアにコイルを巻き回した後分割コア同士を連結してステータを構成する分割型環状コアが提案されている（例えば、特許文献１）。
【特許文献１】特開平６−３１１６７５号公報
【発明の開示】
【発明が解決しようとする課題】
【０００３】
本発明が解決しようとする問題点は、コアを分割し、分割した分割コアにコイルを巻き回すのは容易になり、コイルの巻き回し作業の効率化を図ることはできるが、コイルを巻き回した分割コア同士を連結し、連結したコア同士を固定する作業が別途必要になり、小型のモータを製造する際の実質的な効率向上には結びつかない恐れがあった。
【０００４】
本発明は、上記問題点を解決し、ステータコアへのコイルの巻き回しが容易になるとともに、コイルの巻き終わった後のステータの後処理作業も楽になり、全体的な生産向上に寄与するインナーロータ型モータのステータを提供することを課題とする。
【課題を解決するための手段】
【０００５】
前記課題を解決するために本発明に係るインナーロータ型モータのステータは、以下の要件を備えることを特徴とする。
（イ）放射状に配置されたステータコアの内周側は円弧状の連結体で連結され、外周側の両端にはそれぞれ張出片を形成し、該張出片は外方に突出していること
（ロ）上記張出片は円弧状に形成され、該張出片は内方に曲折した時には隣接するステータコアの張出片同士が接触する程度の長さに形成され、全体として環状になるように構成されていること
なお、前記ステータコアを連結する前記連結体には、該連結体を分断可能な肉薄部を設けることが好ましい。
【発明の効果】
【０００６】
請求項１の発明によれば、ステータの外側からステータコアにコイルを巻き回すことができ、コイルの巻く量も増やすことができ、巻き方も均一に巻き回すことができる。しかも、コイルを巻き回した後は、成形冶具で張出片を押圧して折り曲げることにより、円筒状のケースに収容することができ、小型のモータの生産性向上に寄与するインナーロータ型モータのステータを実現することができる。
【０００７】
請求項２の発明によれば、コイルを巻き回したステータをケース内に収容した後、連結部の中間に形成した肉薄部を容易に切断することができ、効率のよいモータを実現することができる。
【発明を実施するための最良の形態】
【０００８】
図１は、本発明に係るインナーロータ型モータのステータ１を適用したモータの分解斜視図を示し、このモータは、ケース２の内部にステータ１、ロータ３を配置するとともに回路基板４を取り付けたブラケット５をケースの後部開口部６に嵌め合わせ、カバー７でブラケット５をケース２に固定するようにしたもので、ロータ３のシャフト８はケース１の前面に形成された嵌合孔９に嵌め合わせた軸受１０と、ブラケット５の底面に形成された嵌合凹部１１に嵌め合わせた軸受１２とで軸支されている。
【０００９】
上記ステータ１は、図２の正面図に示すように、ステータコア１５の内周側端部を円弧状の連結体１６で連結し、外周側端部の両端には張出片１７をそれぞれ突出形成し、この張出片１７は外方に張り出すように形成されたもので、この張出片１７の外周面１７ａは、ステータコア１５の外周面１５ａと同じ径の円弧で形成され、内方に折り曲げたときには隣接するステータコア１５の張出片１７の先端同士が接触する程度にその長さが設定されているもので、折り曲げ時にはステータコア１５の外周面１５ａと張出片１７の外周面１７ａとで真円になるように設定されている。
【００１０】
張出片１７を折り曲げた状態のステータ１の外径は、ステータ１を収容する円筒状のケース２の内径とほぼ同じに形成され、ステータ１をケース２に圧入することにより、ステータ１はケース２内に安定した状態で収容されるようになっているが、収容時に接着剤などの固定手段をケース２の内周面又はステータ１の外周面の何れか一方又は両方に塗布し、圧入後はステータ１がケース２内に確実に固定されるようにすればよい。
【００１１】
なお、上記張出片１７はステータコア１５にコイルａを巻き回すとき、コイルａをステータコア１５の周方向から水平に巻き回すことができるように、巻きまわし時に張出片１７が邪魔にならないように外方に突出して形成されている（図３参照）。
【００１２】
なお、図２に示すように、張出片１７の付け根にはクビレ部１８が形成されている。このクビレ部１８は、張出片１７を折り曲げる際にクビレ部１８から張出片１７が滑らかに折れ曲がり、張出片１７やステータコア１５の他の部分に歪が生じないようにするためのものである。
【００１３】
そして、連結体１６の中央には肉薄部１９が設けてある、この肉薄部１９は連結体１６の断面積を肉薄部１９で小さくすることにより肉薄部１９における磁気抵抗を大きくし、コイルに電流を流したときに発生する磁束が連結部を通りにくくしてロータにより多くの磁束が通るようにするためのものである。
【００１４】
上記構成のステータ１は、ステータコア１５にコイルａを巻き回した後、図４（ａ）に示すように、押圧面２０がステータ１の半径Ｒと同じ半径の凹面で構成された成形冶具２１で、図４（ｂ）に示すように、ステータコア１５の張出片１７を折り曲げ、張出片１７の外周面１７ａとステータコア１５の外周面１５ａとが同一円弧になるように変形させればよい。
【００１５】
そして、成形冶具２１による張出片１７の変形加工が終了したら、図４（ｃ）に示すように、ステータ１を１２０度回して、同じように成形冶具２１による押圧を繰り返せば、図４（ｄ）に示すように、全ての張出片１７が折り曲げられ、円筒状のステータ１を形成することができるので、このステータ１をケース２内に圧入すればよい。
【００１６】
上述したように成形冶具２１でステータを成形する前は、張出片１７がステータコア１５から外方に突出しているのでコイルａの巻き回しが容易にでき、コイルａの巻き回し後は成形冶具２１で張出片１７を変形させれば、ステータ１を効率よく作成することができる。
なお、上述のステータ１ではステータコア１５同士が連結体１６で連結しているため磁束が連結部１６を通りにくくするために肉薄部１９を設けて磁気抵抗を大きくしているが、ステータ１をケース２内に固定した後に、ステータコア１５の内周部を連結する連結体１６の肉薄部１９を工具（例えば、超音波振動で直線運動するダイヤモンドカッター等）で、図５に示すように、切断することにより磁束は連結部１６を通ることがなくなるので全ての磁束がロータを通るようになりトルクが多く発生し効率を良くすることができる。
【図面の簡単な説明】
【００１７】
【図１】本発明に係るステータを適用したインナーロータ型モータの分解斜視図
【図２】上記ステータの正面図
【図３】ステータコアにコイルを巻く状態を説明するステータの正面図
【図４】（ａ）〜（ｄ）はコイルを巻き回した後の張出片を成形するの工程の説明図
【図５】ステータの連結部を切断した状態を説明する正面図
【符号の説明】
【００１８】
１    ステータ
２    ケース
１５    ステータコア
１６    連結体
１７    張出片
【図１】
2007037249.tif 000003
【図２】
2007037249.tif 000004
【図３】
2007037249.tif 000005
【図４】
2007037249.tif 000006
【図５】
2007037249.tif 000007